(57)【要約】【課題】  複数枚の背丈の高いパネルをスタッドを介して連結する間仕切り装置であり、Ｌ形ブラケットを使用することなく安定してパネルを起立させることが出来る間仕切り装置の提供。【解決手段】  適当な高さにパネル１を支持する為にアジャスター４が配置され、コーナー及び先端には柱３，３・・を設け、該柱側面に取着したスタッド１１とパネル１を連結し、そして直線状に配列した複数枚のパネル上端には通し梁２を載置すると共に互いに係合し、通し梁２の先端は柱３の側面にネジ止めして連結する。【選択図】    図１
2010255326.tif 000002
【特許請求の範囲】
【請求項１】
複数枚のパネルをスタッドを介して連結する間仕切り装置において、適当な高さにパネルを支持する為にアジャスターが配置され、コーナー及び先端には柱を設け、該柱側面に取着したスタッドとパネルを連結し、そして直線状に配列した複数枚のパネル上端には通し梁を載置すると共に互いに係合し、通し梁の先端は柱の側面にネジ止めして連結したことを特徴とする間仕切り装置。
【請求項２】
上記通し梁の下側両面側に係止片を延ばし、この係止片にパネル上端を挟み込んだ請求項１記載の間仕切り装置。
【請求項３】
柱側面に蓋を着脱可能に取付け、パネルが連結される側では該蓋を外すと共に凹部にスタッドを嵌めて取着した請求項１、又は請求項２記載の間仕切り装置。
【発明の詳細な説明】
【技術分野】
【０００１】
本発明は安定して起立することが出来る背丈の高い間仕切り装置に関するものである。
【背景技術】
【０００２】
一般にローパーティションと称される間仕切り装置はパネルを床面に起立して配置し、小さな私的空間を形成する為のものであり、パネル下端にはアジャスター装置が備えられて適当な高さに支えられている。各パネルは単に起立しているだけの状態にある為に、転倒しないように所々にはブラケットが取り付けられている。勿論、ローパーティションの形態によっては各パネルが互いに支え合って転倒しない場合もあるが、そうでない場合には転倒防止用のブラケットが使用される。
【０００３】
図５は従来のブラケット取着形態を示しているが、Ｌ型をしたブラケット（イ）はその縦片（ロ）を起立するパネル面又はスタッドにネジ止めし、下片（ハ）は床面（ニ）に当接している。従ってブラケット（イ）の縦片（ロ）には長穴が形成されていて、アジャスター装置（ホ） にてパネル高さが変化してもブラケット下片（ハ）が常に床に面するようにパネル（ヘ）との位置関係は調整可能となっている。
【０００４】
図６は別のパネル転倒防止手段として上記ブラケットの代わりにアジャスター装置（ト）を用い、このアジャスター装置（ト）の台（チ）は非常に大きくなっていて、パネル（ヘ）を安定して起立させることが出来る。アジャスター装置の台（チ）として構成される為に、アジャスターネジが如何なる位置に回転しても安定起立させることが出来るように、台（チ）の形状は円形やＸ形等でなくてはならず、その為に台（チ）が床面（ニ）に占める面積が大きくなり、外観的には好ましくない。それに転倒防止を図る必要のない箇所全てのアジャスター装置（ト）、（ト）・・・の台（チ）、（チ）・・・をこのように大きくすれば邪魔になる。従ってＬ形ブラケットがむしろ好ましいことになるが、このＬ形ブラケット（イ）であっても縦片（ロ）が外部に露出して外観が損なわれる。
【０００５】
建物内に設置されて大きな部屋空間を仕切る為の間仕切り装置であれば、その上端は天井まで届き、天井に取付けた天井レールに嵌ることで安定して起立することが出来る。下端はアジャスター装置にて適当な高さに支持された巾木に載り、側端は垂直に起立するスタッドに連結している。しかし、上端が背丈程度の高さを有すローパーティションの場合、安定性が損なわれる為に上記Ｌ形ブラケットが取付けられる。
【０００６】
実用新案登録第３０４９２３７号に係る「ローパーティションのブラケット取着構造」は、ローパーティションのパネル下端に取り付けしてパネルの転倒防止を図るブラケット取付け構造であり、Ｌ型ブラケットの縦片が外部に露出しないようにした取着構造である。そこで、パネルはフレームの両面側にパネル片を取り付けして構成し、このフレームは幅広の縦桟と幅の狭い横桟を枠組して成り、Ｌ型ブラケットの縦片は横桟に取着し、その状態で縦桟にパネル片と巾木を取り付けている。従ってブラケットの縦片はパネル片と巾木によってカバーされる為に、外部に露出することはなく、外観的に好ましいローパーティションとなる。
【０００７】
このような取着構造とすることで、Ｌ形ブラケットの縦片は外部へ露出しないようにカバーされるが、下片は床面に載置され、通路にはみ出すことになる。
【特許文献１】実用新案登録第３０４９２３７号に係る「ローパーティションのブラケット取着構造」
【発明の開示】
【発明が解決しようとする課題】
【０００８】
このように、従来のローパーティションと称される間仕切り装置には上記のごとき問題がある。本発明が解決しようとする課題はこの問題点であり、従来のローパーティションと称される間仕切り装置に比較して背丈の高いパネルを用いても、安定して起立することが出来る間仕切り装置を提供する。
【課題を解決するための手段】
【０００９】
本発明に係る間仕切り装置はパネルの背丈は高いがその上端は天井までは届かない高さとしている。ここで、パネルはアジャスターにて適当な高さに支持され、隣り合うパネル間にはスタッドが介在して連結している。ただし、パネルとスタッドの具体的な連結構造は限定しないことにする。そして、パネル上端には通し梁が載置され、配置される複数枚のパネル上端を連結している。
【００１０】
ここで、パネルとしてはペーパーコアの表面に表面材を貼着した形態に限定せず、四角形の枠体にガラスを嵌めたガラスパネルとする場合もあるが、支持構造及び連結構造は上記パネルの場合と同じである。間仕切り装置のコーナーには柱が垂直に起立し、この柱とパネルはスタッドを介して連結され、パネル上端に載置される通し梁の先端は該柱と連結している。
【発明の効果】
【００１１】
本発明に係る間仕切り装置は、各パネルはアジャスターにて適当な高さに支持されると共にスタッドを介して互いに連結し、その上端には通し梁が載置されることで、隣り合うパネル上端が連結される。従って、従来のようなブラケットを取付けることなく、安定した状態で配置することが出来る。
【００１２】
すなわち、パネルの背丈が高くて天井近くまで届く高さであっても、揺らぐことなく安定して起立することが出来る。従って、天井まで届く従来の間仕切り装置を据付ける場合に比較して、本発明の間仕切り装置は天井レールを必要としない為にその据付作業が大幅に削減され、工期が短縮される。勿論、コストも安くなる。
【図面の簡単な説明】
【００１３】
【図１】本発明に係る間仕切り装置。
【図２】間仕切り装置の縦断面図。
【図３】間仕切り装置の横断面図。
【図４】通し梁と柱の連結構造。
【図５】従来のブラケット取付け構造。
【図６】アジャスター装置の台を大きくしてパネルの転倒防止を図っている場合。
【発明を実施するための形態】
【００１４】
図１は本発明に係る間仕切り装置の外観を示す実施例であり、同図の１はパネル、２は通し梁、３は柱を夫々表している。同図に示す間仕切り装置はコ型を成し、３方にパネル１，１・・・が配列された形態をしている。ここでパネル１の具体的な構造は限定せず、一般的にはペーパーコアの両面に金属製の表面材を貼着した構造としている。
【００１５】
そして、所定の距離を隔てて起立した柱３，３の間には４枚のパネル１，１・・・は配列され、各パネル１，１・・・間にはスタッドが介在して連結し、下端はアジャスターにて適当な高さに支持されている。又、パネル１，１・・・の上端には上記通し梁２が載置されている。従って、パネル１，１・・・は安定し、その背丈が高くても、グラ付いたり転倒することはない。
【００１６】
同図に示す間仕切り装置のコ型形態は１具体例に過ぎないが、Ｌ型であっても、又口型にして出入口となるドアや引戸などを設けることも可能である。図２は該間仕切り装置の縦断面を示しているが、（ａ）はペーパーコアを充填材として表面に金属製表面材を貼着したパネル１ａの場合、（ｂ）は枠体にガラスを嵌めたガラスパネル１ｂの場合である。
【００１７】
パネル１ａはその下端に配置したアジャスター４にて適当な高さに支持され、パネル１ａの下端と床面とに間の空間を塞ぐ為に巾木５，５が両面側に取付けられている。そして、パネル１ａの上端には通し梁２が載置されて、配列している４枚のパネル１ａ，１ａ・・・の上端を連結している。この場合、通し梁２の下側に形成した凹部にパネル１ａの上端が嵌っている。すなわち、下縁に設けている係止片６，６がパネル１ａの上端に係止していることで、位置決めされる。
【００１８】
同じく、ガラスパネル１ｂの場合には、四角形の枠体８にガラス７が嵌り、その為に枠体８の内面にはガラス溝９が形成され、このガラス溝９にガラス押え１０を介してガラス７が嵌っている。そして、このガラスパネル１ｂは、その下端がアジャスター４にて適当な高さに支持され、上端には通し梁２が載置されている。
【００１９】
図３は柱３を間にしてＬ型に延びているパネル１，１・・・の横断面図を示している実施例であり、（ａ）はペーパーコアを充填材として表面に金属製の表面材を貼着したパネル１ａ，１ａ・・・を配置した間仕切り装置の場合、（ｂ）は枠体８にガラス７を嵌めたガラスパネル１ｂを配列した場合を示している。
【００２０】
パネル１ａ，１ａの間には垂直に起立するスタッド１１が介在し、このスタッド１１にはパネル１ａ，１ａの側端に固定したツメ１２，１２・・・が係合して連結している。そして、互いに連結したパネル１ａ，１ａの間には目地空間１３が形成されている。又、柱３の側面にはスタッド１１がネジ止めにて取着され、このスタッド１１にパネル１ａの側端に固定したツメ１２，１２が係合することで連結している。
【００２１】
このパネル１ａの連結構造はガラスパネル１ｂの場合にも適用され、ガラスパネル１ｂの側端に固定したツメ１２，１２・・・がスタッド１１に係合して連結している。同じく、柱３にはスタッド１１がネジ止めされ、このスタッド１１にガラスパネル１ｂの側端に固定したツメ１２，１２が係合して連結している。ここで、パネル１ａ及びガラスパネル１ｂの側端は開口しており、スタッド１１、１１はこの開口に嵌入して連結している。
【００２２】
そして、同図に示す柱３は側面に蓋１５，１５・・・が取付けられ、この蓋１５，１５を取外すことで開口して凹部１６，１６が形成される。この凹部１６，１６にスタッド１１，１１の一部が嵌ってネジ止めされている。従って、パネル１，１・・・の間に介在して連結されるスタッド１１と同じ幅寸法のスタッド１１が使用されている。勿論、柱３の断面形状を同図に示す場合に限定するものではない。
【００２３】
ところで、スタッド１１は同図にその断面を示しているように、正方形の１側面を一部開口した形状とし、そして対向する側面にはスリット溝が形成されている。このスリット溝にツメ１２，１２・・・が係合することで連結することが出来る。勿論、本発明では同図に示すパネル連結構造に限定するものではなく、他の連結手段を採用することは自由である。
【００２４】
前記図１に示している間仕切り装置は本発明の１形態であるが、柱３，３・・・と通し梁２，２・・・にてフレームを組付けし、このフレームにパネル１，１・・・を取付けることが出来る。柱３に取着したスタッド１１を介してパネル１を連結し、この場合にアジャスターにてパネル１の上端を通し梁２の凹部に嵌合して両係止片６，６にて両面を係止する。
【００２５】
その他のパネル１，１・・・はスタッド１１，１１・・・を起立しながら、順次据付けることが出来、スタッド１１と共にアジャスターにて高さ調整を行い、パネル１の上端は通し梁２の下側に形成される凹部に嵌合される。ここで、柱３，３・・・の下端にもアジャスターが取付けられて、フレーム全体の高さ調整を行うことが出来る。
【００２６】
通し梁２は柱３の側面に当接して連結されるが、一般的にはネジ止めされる。すなわち、該通し梁２はアルミの押出し材で、連続した貫通穴を形成している為に、先端にジョイント金具を前以て取着し、このジョイント金具を柱３の側面にネジ止めすることが出来る。勿論、柱側にも別のジョイント金具を設けて互いにネジ止めすることも出来る。
【００２７】
図４は柱３と通し梁２の連結構造を示す具体例である。該柱３は側面に蓋１５，１５・・・を取付け、該蓋１５は取外しすることが出来る。貫通穴を有す通し梁２の先端にはジョイント金具１７がネジ止めされ、柱３の凹部１６にも別のジョイント金具１８が嵌っている。凹部１６の入口には係止片１９，１９が形成され、この係止片１９，１９に係止して上記ジョイント金具１８は外れないようになる。
【００２８】
この状態で、ボルト２０，２０にてジョイント金具１７とジョイント金具１８をネジ締めすることで通し梁２は柱３の側面に連結される。Ｌ形に連結する場合であれば、２本の通し梁２，２が柱３の両側面に連結し、Ｔ形に連結する場合出れば３本の通し梁２，２，２が柱３の３側面に連結することが出来る。
【符号の説明】
【００２９】
１  パネル
２  通し梁
３  柱
４  アジャスター
５  巾木
６  係止片
７  ガラス
８  枠体
９  ガラス溝
10  ガラス押え
11  スタッド
12  ツメ
13  目地空間
15  蓋
16  凹部
17  ジョイント金具
18  ジョイント金具
19  係止片
20  ボルト
【図１】
2010255326.tif 000003
【図２】
2010255326.tif 000004
【図３】
2010255326.tif 000005
【図４】
2010255326.tif 000006
【図５】
2010255326.tif 000007
【図６】
2010255326.tif 000008